(57)【特許請求の範囲】
【請求項１】
核沸騰を促進させる核沸騰促進部が表面に形成された熱交換用の金属プレートの製造方法であって、
前記核沸騰促進部の形成にあたっては、移送している金属プレートの表面に加工ロールの表面に形成された加工部を押圧することで当該金属プレートの表面に凸状の被加工部を形成すると共に、この被加工部を前記加工ロールの加工部で切り欠くことで前記核沸騰促進部を形成することを特徴とする熱交換用の金属プレートの製造方法。
【請求項２】
前記加工ロールに対する金属プレートの先進率を、式（１）を満たすように制御することで、前記被加工部を前記加工ロールの加工部で切り欠くようにしていることを特徴とする請求項１に記載の熱交換用の金属プレートの製造方法。
【数１】
0004954042.tif 000012
【発明の詳細な説明】
【技術分野】
【０００１】
本発明は、熱交換用の金属プレートの製造方法に関する。
【背景技術】
【０００２】
従来より、熱交換用に用いられる金属プレートは、その表面に凹凸状の微細加工を施すことで表面積を増大させ、伝熱性がよいものとなっている（特許文献１）。
金属プレートに凹凸状の微細加工を施す方法として、金属プレートに対して凸状の突起部をプレスすることにより、その金属プレートに凹凸を形成させるものが一般的である。
【特許文献１】特開平４−３６９３９１号公報
【発明の開示】
【発明が解決しようとする課題】
【０００３】
さて、交換用の金属プレートでは、その表面が凹凸状となっていることで表面積が増大するために伝熱性が高いという利点もあるが、凹凸の形（形状）を工夫することによっても伝熱性を高めることができることが知られている。例えば、金属プレートの表面に形成した凹凸形状を核沸騰が促進される形状（沸騰時に気体が入り込むことのできるピットを有する形状）とすることによって伝熱性が向上する。
しかしながら、従来のようなプレス加工によって、核沸騰を促進するような凹凸形状を金属プレートの表面に形成することは非常に困難であった。
【０００４】
そこで、本発明は、上記問題点に鑑み、核沸騰を促進する形状を簡単に製造することができる熱交換用の金属プレートの製造方法を提供することを目的とする。
【課題を解決するための手段】
【０００５】
前記目的を達成するため、本発明においては以下の技術的手段を講じた。
すなわち、本発明における課題解決のための技術的手段は、核沸騰を促進させる核沸騰促進部が表面に形成された熱交換用の金属プレートの製造方法であって、前記核沸騰促進部の形成にあたっては、移送している金属プレートの表面に加工ロールの表面に形成された加工部を押圧することで当該金属プレートの表面に凸状の被加工部を形成すると共に、この被加工部を前記加工ロールの加工部で切り欠くことで前記核沸騰促進部を形成する点にある。
【０００６】
発明者は、核沸騰が促進される形状を形成する方法について様々な観点から検証を行った。その結果、加工ロールの加工部によって金属プレートの表面に凸状の被加工部を形成させる第１段階と、加工ロールの加工部によって一度形成した凸状の被加工部を切り欠くことで核沸騰が促進される形状に変形させる第２段階とを、連続して意図的に行うことによって、非常に簡単に核沸騰が促進される形状を形成することができることを見出した。
前記加工ロールに対する金属プレートの先進率を、式（１）を満たすように制御することで、前記被加工部を前記加工ロールの加工部で切り欠くようにしていることが好ましい。
【０００７】
【数２】
0004954042.tif 000002
【発明の効果】
【０００９】
本発明によれば、核沸騰を促進する形状を簡単に製造することができる。
【発明を実施するための最良の形態】
【００１０】
以下、図面に基づき、本発明の実施の形態を説明する。
［第１実施形態］
図１は、本発明の熱交換用の金属プレートの製造方法を説明するための加工装置の概要図を示している。この加工装置１（１Ａ）は、熱交換用の金属プレート（ＰＨＥ用金属プレート）５トを製造するものであって、移送ロール２と、加工ロール３と、支持ロール４とを備えている。
図１、２に示すように、移送ロール２は、金属プレート５を移送するためのものであって、加工ロール３から見て上流側及び下流側に配置されている。加工ロール３は、移送されている金属プレート５の表面にミクロンオーダ（数μｍ〜数百μｍ）の凹凸を形成することで、表面積を増加させ、且つ、核沸騰促進部８を形成することにより、伝熱性の優れた突起を形成するものである。
【００１１】
この加工ロール３の外周面の全周には、核沸騰促進部８を形成するための複数の凸状（例えば、台形状）の加工部７が形成されている。各加工部７は軸方向に延設されたものとなっている。支持ロール４は加工ロール３に対向して配置されていて、金属プレート５の被加工部６の反対側を支持するものとなっている。
加工装置１では、移送ロール２の回転によって金属プレート５を上流側から下流側に移送させ、この金属プレート５の表面に加工ロール３の加工部７を接触させて押圧することによって、金属プレート５の表面に核沸騰促進部８を形成する。
【００１２】
詳しくは、図３に示すように、加工装置１では、加工ロール３の凸状の加工部７を金属プレート５の表面に押しつけることで、位置Ｐにて当該金属プレート５の表面に加工部７と同じ凸状の被加工部６を形成し、加工ロール３の加工部７が金属プレート５の表面から離れてしまうまでの間（位置Ｐから位置Ｑまでの間）に、凸状とした前記被加工部６を加工部７で切り欠くことによって核沸騰促進部８を形成する。
なお、加工装置１は、金属シートなどの圧延材に対して圧延を行うタンデム圧延機の最下流側に配置されていてもよいし、単独の加工ラインとして配置されていてもよい。また、前記加工ロール３をタンデム圧延機の最下流側に設けることで、加工装置１自体をタンデム圧延機に設けるようにしてもよい。
【００１３】
以下、本発明の熱交換用の金属プレートの製造方法を詳しく説明する。
本発明において、加工装置１で形成する核沸騰促進部８は、図４（ａ）に類似した形状であって、この形状が核沸騰を促進する上で好ましいことは知られている（例えば、機械工学基礎講座「伝熱学」、西川兼康著、１９８２、理工学社、ｐ２１４）。
核沸騰促進部８は、その内部（凹部分）に気体が入り込むためのピット（気体ピット）９を有しており、液体沸騰時に気体ピット９内の気体によって気泡（気相）が成長して気泡発生点となる形状である。これに対して、図４（ｂ）に示すような形状であると、ピット９ａが浅く且つ開口部Ｋが広いため、液体沸騰時にそのピット９ａには気体が入らず液体のみで満たされてしまう。また、図４（ｃ）に示すような形状では、ピット９ｂが深いため、液体沸騰時にそのピット９ｂ内には気体が入りやすく核沸騰を促進する上では好ましいが、図４（ａ）に比べれば、核沸騰の促進はやや低いものとなっている。
【００１４】
本発明では、加工ロール３の加工部７によって金属プレート５の表面に、図４（ａ）、図４（ｃ）に示すような核沸騰促進部８を形成することで、金属プレート５が液体沸騰時に核沸騰が起こりやすいものとしている。また、本発明では、核沸騰促進部８の形状と、表面積の増加の効果によって、製造する金属プレートを非常に伝熱性の優れたものとしている。
図３（ａ）、（ｂ）に示すように、核沸騰促進部８を形成するにあたっては、まず、位置Ｐにおいて、加工ロール３の加工部７を金属プレート５の表面に最も近づかせることで、金属プレート５の表面に加工ロール３の加工部７と同じ形状の凸部を形成する。
【００１５】
そして、図３（ｃ）に示すように、加工ロール３の回転により加工部７が位置Ｐよりも下流側において、加工ロール３の加工部７が金属プレート５の表面から徐々に離れる際に、加工ロール３の加工部７と金属プレート５の被加工部６とをオーバーラップさせることで、加工部７で被加工部６を意図的に削り、長手方向（移送方向）で隣り合う被加工部６（削られた被加工部６ａ、６ａ）によって、核沸騰促進部８が形成される。なお、位置Ｑは、加工ロール３の加工部７が金属プレート５から離れる直前の状態を示している。
加工の状態変化を詳しく見るために、加工部７で当該加工部７と同じ形状を形成させた位置Ｐを基準として、この基準の位置ＰからＱ位置に達するまでのｔ１秒後における加工部７と被加工部６の動きを考える。
【００１６】
ここで、位置Ｐでは、凸状（台形状）の加工部７において回転方向の後側に位置する第１頂部Ｎ１と、凸状（台形状）の被加工部６において移送方向の前側に位置する第１底部Ｓ１とは略一致しているものとし、一致部分を基準点Ｏとする。また、ｘ軸は金属プレート５の移送方向と同じであり、ｙ軸は金属プレート５の厚み方向と同じである。
図３（ｃ）に示すように、加工ロール３側において、ｔ１秒後の加工部７の第１頂部Ｎ１の移動量は、式（２）及び式（３）で表される。
【００１７】
【数３】
0004954042.tif 000003
【００１８】
式（２）及び式（３）において、Ｌ１は第１頂部Ｎ１の水平方向の移動量（水平移動量）で、Ｚ１は第１頂部Ｎ１の垂直方向（厚み方向）の移動量（垂直移動量）である。
一方で、金属プレート５側において、ｔ１秒後の被加工部６の第１底部Ｓ１の移動量は、式（４）及び式（５）で表される。
【００１９】
【数４】
0004954042.tif 000004
【００２０】
式（４）及び式（５）において、Ｌ２は第１底部Ｓ１の水平移動量で、Ｚ２は第１底部Ｓ１の垂直移動量である。
図５は、ｔ１秒後における被加工部６と加工部７との位置を表したものである。
ｔ１秒後において、被加工部６における移送方向の前側（移送方向に移動する際の先行側）での第２頂部Ｎ２の座標（ｘ，ｙ）は、式（４）及び式（５）により、第２頂部Ｎ２の座標（ｘ，ｙ）＝（Ｌ２−ａ，ｂ）として表すことができる。
ここで、ａは被加工部６において基準となった底部Ｓ１から第２頂部Ｎ２までの水平距離（水平成分）を示しており、ｂは被加工部６において基準となった底部Ｓ１から第２頂部Ｎ２までの垂直距離（被加工部６の高さ、垂直成分）を示している。
【００２１】
また、ｔ１秒後において、加工部７の第１頂部Ｎ１の座標（ｘ，ｙ）は、式（２）及び式（３）により、（ｘ，ｙ）＝（Ｌ１、Ｚ１）として表すことができる。
さて、位置Ｐから下流側にいくにつれて、加工部７は被加工部６から離れることになるが、加工部７が被加工部６から離れるまでの過程において、第１頂部Ｎ１が第２頂部Ｎ２よりも基準点側に位置すれば、両者がオーバラップするため、第１頂部Ｎ１によって被加工部６を削ることができ、被加工部６を変形させることができる。
そこで、加工ロール３の加工部７の第１頂部Ｎ１で金属プレート５の被加工部６を削るための条件を考えると、少なくとも位置Ｐから第１頂部Ｎ１が第２頂部Ｎ２と同じ高さ（ｙ＝Ｚ１＝ｂ）になるまでの間に、第１頂部Ｎ１が第２頂部Ｎ２よりも遅延すれば、オバーラップするので加工部７によって被加工部６を移送方向とは反対方向（上流側）に押し（倒し）ながら削って加工することができる。
【００２２】
即ち、ｔ１秒後において、第１頂部Ｎ１のｘ座標が、第２頂部Ｎ２のｘ座標よりも小さい式（６）が条件となる。式（６）を整理すると式（７）になる。
【００２３】
【数５】
0004954042.tif 000005
【００２４】
第１頂部Ｎ１が第２頂部Ｎ２に達した際（Ｚ１＝ｂ）のｙ座標は式（８）で表され、この式（８）により、時間ｔ１を求めると式（９）となる。
【００２５】
【数６】
0004954042.tif 000006
【００２６】
また、金属プレート５の移送速度は、先進率の式により式（１０）のようになる。
【００２７】
【数７】
0004954042.tif 000007
【００２８】
式（１０）及び式（９）を式（７）に代入すると式（１）が得られ、この式（１）を満たすことで、加工ロール３の加工部７の第１頂部Ｎ１で金属プレート５の被加工部６を削り、核沸騰促進部８を形成することができるようになる。
【００２９】
【数８】
0004954042.tif 000008
【００３０】
言い換えれば、熱交換用の金属プレートの製造方法においては、式（１）の条件下で、先進率を制御することによって、加工ロール３の加工部７の第１頂部Ｎ１で金属プレート５の被加工部６を削り、核沸騰促進部８を形成するようにしている。
具体的には、金属プレート５に核沸騰促進部８を形成させるにあたり、最終的な核沸騰促進部８の形状から第１段階での被加工部６の形状、即ち、水平成分ａ及び垂直成分ｂを設定した上で、加工ロール３の圧下率、加工ロール３の入出側における金属プレート５の板厚、金属プレート５の上流及び下流側の張力、摩擦係数を設定した上で、式（１１）で求められる先進率が式（１）を満たすように、各種条件を変更する。
【００３１】
【数９】
0004954042.tif 000009
【００３２】
先進率が式（１）を満たすように、上流側の張力を上げたり、下流側の張力を下げたりすることで、金属プレート５の被加工部６を削って核沸騰促進部８を形成する。下流側の張力を下げるにあたっては下流側の移送ロール２の周速を下げ、上流側の張力を上げるにあたっては上流側の移送ロール２の周速を下げる。先進率を制御するに際しては、図６に示すような張力に対する先進率の変化を考慮して制御することが好ましい。
図７は、表１に示すように、下記の初期条件を設定し、式（１）を満たすように先進率を制御した際の加工ロール３の第１頂部の軌跡と、第１加工時の被加工部６の形状との関係をシミュレートしたものである。具体的には、表１の条件で、式（１）を満たすように、入側張力σbはそのままで、出側張力σfを変更した。
【００３３】
【表１】
0004954042.tif 000010
【００３４】
図７に示すように、加工部７を被加工部６とオーバラップさせているため、加工ロール３の加工部７によって被加工部６を削っている。
先進率を制御するにあたっては、金属プレート５に加わる張力の他に、図８に示すように、金属プレート５に対する加工ロール３の圧下率を変更してもよいし、図９に示すように、加工ロール３のロール速度を変化させて摩擦係数を変更することで先進率を制御するようにしてもよい。また、加工ロール３の半径Ｒａを変更してもよい。
【００３５】
【数１０】
0004954042.tif 000011
【００３６】
上述した考え方に基づき、削られる前の被加工部６の基準点（底部Ｓ１）から最終加工後の核沸騰促進部８（削られた被加工部６ａ）の頂部Ｎ３での水平距離をａ’とし、削られる前の被加工部６の基準点（底部Ｓ１）から最終加工後の核沸騰促進部８（削られた被加工部６ａ）の頂部Ｎ３での垂直距離をｂ’とし、式（１）を変形して式（１３）にすることで、被加工部６を削り取った後の核沸騰促進部８の形状を適宜設定することも可能である（図５参照）。
［第２実施形態］
図１０は本発明の熱交換用の金属プレートの製造方法の概念図を示している。
【００３７】
実施形態における加工装置１（１Ｂ）は、加工ロール１０と、支持ロール１１と、圧下ロール１２と、図示省略の移送ロールとを備えている。
加工ロール１０は、移送されている金属プレート５の表面にエッジ状（先細り状）の被加工部１３を形成するものであって、圧下ロール１２の上流側に配置されている。加工ロール１０の外周面には、周方向に延びるエッジ状（先細り状）の加工部１４が軸方向に亘って複数設けられている。支持ロール１１は、加工ロール１０に対向して配置されていて、金属プレート５の被加工部１３の反対側を支持するものとなっている。
【００３８】
圧下ロール１２は、加工ロール１０の下流側に配置されいて、金属プレート５の表面に形成された凸状の被加工部１３を軟圧下することで、金属プレート５の被加工部１３の頂部を潰して核沸騰促進部８を形成させるものである。
本発明の熱交換用の金属プレートの製造方法を詳しく説明する。
熱交換用の金属プレート５を製造するにあたっては、まず、移送している金属プレート５を、加工ロール１０と支持ロール１１との間に導入し、加工ロール１０の加工部１４を金属プレート５の表面に接触させて、所定の圧力で押圧する。金属プレート５の表面には、その長手方向（移送方向）に延びたエッジ状の被加工部１３が形成される。
【００３９】
表面にエッジ状の被加工部１３が形成された金属プレート５を、上下一対の圧下ロール１２に導入して、先細り部（頂部）１６を厚み方向に軟圧下して潰す。例えば、金属プレート５が板厚５ｍｍの純Ａｌである場合、加工ロール１０では圧下率を１０％程度、圧下ロール１２では１％程度圧下する。
金属プレート５の先細り状の被加工部１３を押し潰し、長手方向に隣接する潰れ部１３ａ（先端が潰された加工部１３）の内壁部によって気体ピット９が形成され、全体として核沸騰促進部８が形成されることになる。なお、この実施形態において、加工部１４を先細りのエッジ状としたが、これに代え、側面視で台形状（矩形状）であってもよい。
【００４０】
この実施形態によれば、金属プレート５の表面に凸状の被加工部１３を形成すると共に、この被加工部１３の頂部を厚み方向に軟圧することで核沸騰促進部８を簡単に形成することができる。本発明の熱交換用の金属プレート５の製造方法は上記の実施形態に限定されない。
【図面の簡単な説明】
【００４１】
【図１】第１実施形態に係る加工装置の概要図である。
【図２】熱交換用の金属プレートの製造方法を示す図である。
【図３】加工の状態を示す説明図である。
【図４】核沸騰促進部を説明する説明図である。
【図５】ｔ１時間後の加工部と被加工部の位置を示す座標図である。
【図６】張力と先進率との関係を示した図である。
【図７】式（１）を満たす条件で加工した際の第１頂部の軌跡と被加工部の形状との関係を示した図である。
【図８】圧下率と先進率との関係を示した図である。
【図９】摩擦係数とロール速度（周速）との関係を示した図である。
【図１０】第２実施形態に係る金属プレートの製造方法を示す図である。
【符号の説明】
【００４２】
１    加工装置
２    移送ロール
３    加工ロール
４    支持ロール
５    金属プレート
６    被加工部
７    加工部
【図１】
0004954042.tif 000013
【図２】
0004954042.tif 000014
【図３】
0004954042.tif 000015
【図４】
0004954042.tif 000016
【図５】
0004954042.tif 000017
【図６】
0004954042.tif 000018
【図７】
0004954042.tif 000019
【図８】
0004954042.tif 000020
【図９】
0004954042.tif 000021
【図１０】
0004954042.tif 000022